(57)【要約】【課題】  蛇腹管の先端に着脱自在に容易に取りつけることができる引き込み治具およびそれを用いた補修方法の提供。【解決手段】  基部１の先端に山形の頭部２を設け、頭部２の先端にワイヤ係止部３を配置する。そして、基部１の内面側に位置して、３以上の係止爪４を突設し、基部１が蛇腹管５の先端開口外周に被嵌されるとともに、蛇腹管５の先端開口の内周に各係止爪４が係止されるようにする。そして、引き込み治具１１にワイヤ６を介して蛇腹管５を被補修管内に導き、最後にワイヤ６を強く引張ることにより、引き込み治具１１全体を蛇腹管５の先端から分離して回収する。【選択図】        図１
2011052774.tif 000002
【特許請求の範囲】
【請求項１】
環状の基部(1) と、その基部(1) の先端側に設けた断面外周が山形の頭部(2) と、頭部(2) の先端に設けたワイヤ係止部(3) と、前記基部(1) の内面側に位置して、その基部(1) または頭部(2) に固定され、基部(1) の半径方向に弾性変形するように後端が爪状に突設され、互いに周方向に離間して配置された３以上の係止爪(4) と、を具備し、
前記基部(1) が蛇腹管(5) の先端開口の外周に被嵌されると共に、その蛇腹管(5) の先端開口の内周に各係止爪(4) が圧接係止され、
前記ワイヤ係止部(3) にワイヤ(6) の先端が係止されて、被補修管内に蛇腹管(5) を誘導することができると共に、ワイヤ(6) を強く引っ張ることにより、全体が蛇腹管(5) の先端から分離するように構成された蛇腹管の引き込み治具。
【請求項２】
請求項１において、
前記ワイヤ係止部(3) が頭部(2) の先端の内面および外面に一対設けられた蛇腹管の引き込み治具。
【請求項３】
請求項１において、
前記頭部(2) は、複数の帯状の弧状材(2a)の各両端部の一部が前記基部(1) に、周方向に互いに離間して接続されてなり、
その帯状の弧状材(2a)の両端部が基部(1) に対向し、後方に突設されて前記各係止爪(4)を構成し、その弧状材(2a)の中心に環状の前記ワイヤ係止部(3) が突設された蛇腹管の引き込み治具。
【請求項４】
枝管(7) の内面を、その枡(8) から本管(9) の接続部まで補修する方法において、
請求項１〜請求項３に記載のいずれかの引き込み治具(11)を、補修用の蛇腹管(5) の先端開口に圧入すると共に、ワイヤ(6) を本管(9) のマンホール(10)と、枝管(7) の枡(8) との間に挿通し、そのワイヤ(6) の先端を引き込み治具(11)のワイヤ係止部(3) に係止する工程と、
次いで、その蛇腹管(5) を前記枡(8) から枝管(7) 内に押し込む共に、ワイヤ(6) をマンホール(10)から引出しつつ、枝管(7) 内にその蛇腹管(5) を導いて挿通する工程と、
次いで、ワイヤ(6) を強く引っ張ることにより、引き込み治具(11)を蛇腹管(5) の先端から分離して、マンホール(10)側に回収する工程と、
枝管(7) と本管(9) との接続部で、本管(9) 側から蛇腹管(5) の先端をその接続部に樹脂補修材(18)で液密に固定する工程と、を具備する枝管補修方法。
【請求項５】
請求項４に記載の枝管補修方法において、
前記枡(8) 内に補修用の蛇腹管(5) の後端を突出させた状態で、前記枡(8) 側より、その蛇腹管(5) と枝管(7) との隙間に、注入ホース(12)とエアー抜きホース(13)とを挿入し、その注入ホース(12)に接続された注入用ポンプ(14)を介して、前記隙間全体にモルタルを充填して、そのモルタルがエアー抜きホース(13)より流出する迄、その充填を継続する工程と、
その後、前記両ホース(12)(13)をそのまま前記隙間に保持した状態で、前記モルタルを硬化させる工程と、
モルタル硬化後、前記蛇腹管(5) の枡(8) 内突出部を切断すると共に、両ホース(12)(13)を切断する工程と、を具備する枝管補修方法。
【請求項６】
請求項４または請求項５に記載の枝管補修に先立ち、本管(9) 内を補修する方法において、
請求項１または請求項２に記載の引き込み治具(11)を、補修用の蛇腹管(5) の先端開口に圧入すると共に、本管(9) の隣り合う一対のマンホール(10)間にワイヤ(6) を挿通し、そのワイヤ(6) の先端を引き込み治具(11)の前記ワイヤ係止部(3) に係止する工程と、
次いで、前記一方のマンホール(10)から蛇腹管(5) を本管(9) 内に押し込む共に、ワイヤ(6) を他方のマンホール(10)から引出しつつ本管(9) 内に、その蛇腹管(5) を導いて挿通し、蛇腹管(5) の先端が他方のマンホール(10)に達したとき、蛇腹管(5) の後端を一方のマンホール(10)の位置で切断する工程と、
蛇腹管(5) の両端開口とマンホール(10)の本管接続部との間を樹脂またはモルタルにより液密に固定する工程と、
前記枝管(7) と本管(9) との接続部で、本管(9) 側より前記蛇腹管(5) に穿孔する工程と、を具備する本管補修方法。
【請求項７】
請求項４〜請求項６に記載の補修方法において、
前記蛇腹管(5) は、内面が平坦な可撓性の軟質塩化ビニール樹脂材よりなる内管(5a)と、硬質の樹脂材よりなり、横断面が波形に形成された帯状材(5b)を内管の外周に螺旋状に懸回し、その波の一部を内管に接着固定した外管(5c)と、を有するものを使用した補修方法。
【発明の詳細な説明】
【技術分野】
【０００１】
本発明は、主として耐用年数が近づいている本管や枝管を、その内面より更生補修するための蛇腹管の引き込み治具および、それを用いた補修方法に関する。
【背景技術】
【０００２】
配管内面を全体的にあるいは部分的に補修更生する従来の方法は、筒状に形成した熱硬化樹脂や光硬化樹脂を空気圧により被補修用の管内面に圧着し、硬化装置を用いて樹脂材を補修材とともに管内壁に接合するものであった。
次に、下記特許文献１には、金属製補強線を用いた樹脂製フレキシブル管が記載され、それを地中埋設管内に挿通し、それらの管どうしの隙間を、その両端部のみ封止する管更生工法が提案されている。
次に、下記特許文献２には、本管および枝管にフレキシブル管を用い、その接続部を枝管継手により接合する方法が提案されている。
【０００３】
次に、下記特許文献３には、回転体に蛇腹管を巻きつけておき、その蛇腹管先端にキャップを取付けるとともに、キャップ先端にワイヤを係止し、回転体から既設管内に蛇腹管を送り出すとともに、ワイヤによって蛇腹管を一方のマンホールから他方のマンホールに導き、蛇腹管と既設管との間にモルタル等を充填する提案がされている。
これらのフレキシブル管を用いた場合には、次の利点がある。そのフレキシブル管は工場生産により量産が可能なため、材料の品質が安定している。そして、それ以前の熱硬化樹脂等を用いる場合のような硬化装置を不要とし、迅速な施工が可能である。それとともに、硬化装置を用いる場合の未硬化樹脂のスチレン臭気の発生や騒音、未硬化部分の存在、シワの発生、よじれ等が生じることがない。また、劣化または老化した下水管においてクラック部分より浸入水が入水しても、その事前止水をすることなく、施工が可能である。さらには、本管および取付け管（枝管）の施工が同時または別々に行うことができる利点を有する。
【先行技術文献】
【特許文献】
【０００４】
【特許文献１】特開２００８−３０３９７０号公報
【特許文献２】特開２００９−５２６４６号公報
【特許文献３】特許第４１３６２９４号公報
【発明の概要】
【発明が解決しようとする課題】
【０００５】
従来の蛇腹管の引き込み方法は、蛇腹管の一端に帽子状キャップを取り付け、その先端にワイヤを係止し、回転ドラムに蛇腹管を巻きつけ、それを繰出しながらクリンチを介して、ワイヤを一方のマンホールから他方のマンホールに挿通して、それを本管内に誘導するものであった。そのため、引き込み作業のための準備であるキャップの固定、回転ドラムの設置、クリンチの設置等、多くの工程を要するとともに、引き込み後のキャップの取外し等の多くの煩雑な工程を要する。また、蛇腹管を枝管等に引き込む場合には、蛇腹管先端のキャップを狭小の枝管先端で取外すことができなかった。
そこで、本発明はこれらの問題点を取除くことを課題とする。
【課題を解決するための手段】
【０００６】
請求項１に記載の本発明は、環状の基部(1) と、その基部(1) の先端側に設けた断面外周が山形の頭部(2) と、頭部(2) の先端に設けたワイヤ係止部(3) と、前記基部(1) の内面側に位置して、その基部(1) または頭部(2) に固定され、基部(1) の半径方向に弾性変形するように後端が爪状に突設され、互いに周方向に離間して配置された３以上の係止爪(4)と、を具備し、
前記基部(1) が蛇腹管(5)の先端開口の外周に被嵌されると共に、その蛇腹管(5)の先端開口の内周に各係止爪(4) が圧接係止され、
前記ワイヤ係止部(3) にワイヤ(6)の先端が係止されて、被補修管内に蛇腹管(5)を誘導することができると共に、ワイヤ(6)を強く引っ張ることにより、全体が蛇腹管(5)の先端から分離するように構成された蛇腹管の引き込み治具である。
【０００７】
請求項２に記載の本発明は、請求項１において、
前記ワイヤ係止部(3)が頭部(2) の先端の内面および外面に一対設けられた蛇腹管の引き込み治具である。
請求項３に記載の本発明は、請求項１において、
前記頭部(2) は、複数の帯状の弧状材(2a)の各両端部の一部が前記基部(1) に、周方向に互いに離間して接続されてなり、
その帯状の弧状材(2a)の両端部が基部(1) に対向し、後方に突設されて前記各係止爪(4)を構成し、その弧状材(2a)の中心に環状の前記ワイヤ係止部(3) が突設された蛇腹管の引き込み治具である。
【０００８】
請求項４に記載の本発明は、枝管(7) の内面を、その枡(8) から本管(9) の接続部まで補修する方法において、
枝管(7) の内面を、その枡(8) から本管(9) の接続部まで補修する方法において、
請求項１〜請求項３に記載のいずれかの引き込み治具(11)を、補修用の蛇腹管(5)の先端開口に圧入すると共に、ワイヤ(6)を本管(9) のマンホール(10)と枝管(7) の枡(8) との間に挿通し、そのワイヤ(6)の先端を引き込み治具(11)のワイヤ係止部(3) に係止する工程と、
次いで、その蛇腹管(5)を前記枡(8) から枝管(7) 内に押し込む共に、ワイヤ(6)をマンホール(10)から引出しつつ、枝管(7) 内にその蛇腹管(5)を導いて挿通する工程と、
次いで、ワイヤ(6)を強く引っ張ることにより、引き込み治具(11)を蛇腹管(5)の先端から分離して、マンホール(10)側に回収する工程と、
枝管(7) と本管(9) との接続部で、本管(9) 側から蛇腹管(5)の先端をその接続部に樹脂補修材(18)で液密に固定する工程と、を具備する枝管補修方法である。
【０００９】
請求項５に記載の本発明は、請求項４に記載の枝管補修方法において、
前記枡(8) 内に補修用の蛇腹管(5)の後端を突出させた状態で、前記枡(8) 側より、その蛇腹管(5)と枝管(7) との隙間に、注入ホース(12)とエアー抜きホース(13)とを挿入し、その注入ホース(12)に接続された注入用ポンプ(14)を介して、前記隙間全体にモルタルを充填して、そのモルタルがエアー抜きホース(13)より流出する迄、その充填を継続する工程と、
その後、前記両ホース(12)(13)をそのまま前記隙間に保持した状態で、前記モルタルを硬化させる工程と、
モルタル硬化後、前記蛇腹管(5)の枡(8) 内突出部を切断すると共に、両ホース(12)(13)を切断する工程と、を具備する枝管補修方法である。
【００１０】
請求項６に記載の本発明は、請求項４または請求項５に記載の枝管補修に先立ち、本管(9) 内を補修する方法において、
請求項１または請求項２に記載の引き込み治具(11)を、補修用の蛇腹管(5)の先端開口に圧入すると共に、本管(9) の隣り合う一対のマンホール(10)間にワイヤ(6)を挿通し、そのワイヤ(6)の先端を引き込み治具(11)の前記ワイヤ係止部(3) に係止する工程と、
次いで、前記一方のマンホール(10)から蛇腹管(5)を本管(9) 内に押し込む共に、ワイヤ(6)を他方のマンホール(10)から引出しつつ本管(9) 内に、その蛇腹管(5)を導いて挿通し、蛇腹管(5)の先端が他方のマンホール(10)に達したとき、蛇腹管(5)の後端を一方のマンホール(10)の位置で切断する工程と、
蛇腹管(5)の両端開口とマンホール(10)の本管接続部との間を樹脂またはモルタルにより液密に固定する工程と、
前記枝管(7) と本管(9) との接続部で、本管(9) 側より前記蛇腹管(5)に穿孔する工程と、を具備する本管補修方法である。
【００１１】
請求項７に記載の本発明は、請求項４〜請求項６に記載の補修方法において、
前記蛇腹管(5)は、内面が平坦な可撓性の軟質塩化ビニール樹脂材よりなる内管(5a)と、硬質の樹脂材よりなり、横断面が波形に形成された帯状材(5b)を内管の外周に螺旋状に懸回し、その波の一部を内管に接着固定した外管(5c)と、を有するものを使用した補修方法である。
【発明の効果】
【００１２】
本発明の蛇腹管の引き込み治具は、３以上の係止爪４が基部１の半径方向に弾性変形するように突設され、各係止爪４が蛇腹管５の先端部内周に圧接係止されるとともに、基部１が蛇腹管５の外周に被嵌されるので、確実に引き込み治具を蛇腹管先端の開口の内周と外周とから保持できる。そして、その治具およびワイヤ６を介し、蛇腹管５を被補修管内に誘導することができる。それとともに、その誘導後にワイヤ６を強く引張ることにより、引き込み治具を蛇腹管５から取外すことができる。そのため、狭小な被補修管内においても、誘導完了により不必要となった引き込み治具の取り外しが容易となる。
【００１３】
上記構成において、頭部２の先端の内面及び外面に一対のワイヤ係止部３を設けた場合には、両者にワイヤを係止することができ、一端引き込んだ蛇腹管５を引き戻して、蛇腹管５を必要な長さに切断することが可能となる。すなわち、被補修管内に蛇腹管を収納し、その必要長さが確定した時点で、切断位置に印を付け、その蛇腹管を引き戻して広い場所で蛇腹管の切断が可能となる。その際、各種切断器具を有効に利用できる。
上記構成において、頭部２および各係止爪４を複数の帯状の弧状材２ａにより形成した場合には、その引き込み治具の製作が容易である。
【００１４】
本発明の補修方法は、前記いずれかの引き込み治具１１を蛇腹管５先端開口に圧入する工程と、次いでその蛇腹管５を枡８から枝管７内に押込むとともに、引き込み治具１１先端に設けたワイヤ６をマンホール１０から引出しつつ、枝管７内にその蛇腹管５を導いて挿通する工程と、次いで、ワイヤ６を強く引張ることにより、引き込み治具１１を蛇腹管５先端から分離してマンホール１０側に回収する工程とを有する。
この補修方法により、蛇腹管５を枝管７に容易に挿入することができるとともに、挿入後に不要となった引き込み治具１１を容易に回収することができる。そして、枝管７と本管９との接続部で、本管９側から蛇腹管５の先端をその接続部で樹脂補修材１８により液密に固定し、枝管７の補修を容易且つ迅速に完成することができる。
【００１５】
上記枝管補修方法において、枡８内に補修用の蛇腹管５の後端を突出させた状態で、枡８側より蛇腹管５と枝管７の隙間に注入ホース１２とエアー抜きホース１３とを挿入し、注入用ポンプ１４を介し、注入ホース１２より隙間全体にモルタルを充填して、それがエアー抜きホース１３より流出するまで充填を継続することにより、蛇腹管５と枝管７との隙間を完全にモルタルで塞ぐことができる。次いで、そのモルタル硬化後注入ホース１２、エアー抜きホース１３、蛇腹管５の突出部を切断することにより、枝管補修を容易に完成することができる。
【００１６】
次に請求項６に記載のように、前記枝管補修に先立ち、本管９内を補修する方法において、本管補修用の蛇腹管５の先端に引き込み治具１１を圧入し、一方のマンホール１０から蛇腹管５を本管９内に押込むとともに、ワイヤ６および引き込み治具１１を介し、他方のマンホール１０からそれを引出しつつ、本管９内に蛇腹管５を導いて挿通するようにしたから、蛇腹管５の本管９内の挿通を容易にし、次いで枝管７と本管９との接続部で本管９側より蛇腹管５に穿設することにより、枝管７と本管９との連通を行うことができる。そして、蛇腹管５の両端開口とマンホール１０の本管接続部との間を樹脂またはモルタルにより液密に固定することにより、本管の補修を迅速且つ容易に完成することができる。
【００１７】
上記補修方法において、蛇腹管５として、内面が平坦な可撓性の軟質塩化ビニール樹脂材による内管５ａと、硬質の樹脂材よりなり、横断面が波形に形成された帯状材５ｂを内管５ａの外周に螺旋状に懸回し、その波の一部を内管に接着固定して外管５ｃとするものを使用することができる。係る蛇腹管５は、屈曲性に富み、枝管および本管の曲折部に迅速且つ容易に導くことができる。
【図面の簡単な説明】
【００１８】
【図１】本発明の蛇腹管の引き込み治具の縦断面正面図および底面図。
【図２】本発明の他の蛇腹管の引き込み治具の縦断面正面図。
【図３】同引き込み治具を用いて蛇腹管を本管内に引き込む第１工程を示す。
【図４】同第２工程を示す。
【図５】本引き込み治具を用いて枝管７内に蛇腹管５を引き込む第１工程を示す説明図。
【図６】同第２工程を示す説明図。
【図７】同第３工程を示す説明図。
【図８】第３工程の他の例を示す説明図。
【図９】本発明に用いられる蛇腹管５の一例を示す要部縦断面図。
【発明を実施するための形態】
【００１９】
次に、図面に基づいて本発明の実施の形態につき説明する。
蛇腹管の先端に着脱自在に取付けられる本発明の引き込み治具１１は、図１（Ａ）、（Ｂ）のごとく形成されている。これは環状の基部１と、複数の帯状の弧状材２ａ（この例では４つ）の接合体からなる。各帯状の弧状材２ａは、前端部が半円状に形成され、後端脚部が半径方向内面側に段付き状に曲折されるとともに、その先端部が僅かにくの字状に内向きに曲折されている。そして、それぞれの段付き状の根元部において基部１との間が溶接され、そこに溶接部１５を形成する。そして基部１内面と係止爪４の後端部外面との間に隙間が形成され、その隙間に蛇腹管５が挿入される。
【００２０】
それぞれの弧状材２ａは、互いに４５度周方向に離間して配置され、それによって頭部２を構成する。また各弧状材２ａの後端部は係止爪４を形成する。そして、頭部２の頂部には、その外面側および内面側にワイヤ係止部３が溶接等の手段により接合されて、引き込み治具１１を完成する。
この引き込み治具１１には、蛇腹管５の先端開口が嵌着される。このとき、蛇腹管５の外周に基部１が被嵌され、蛇腹管５の内周面に係止爪４の外周が圧着する。この係止爪４は一例として金属板からなり、弾性を有し、その変形により蛇腹管５先端に圧接する。その係止爪の先端部は弾性変形するとともに、くの字状に形成されているため、蛇腹管５内面に比較的容易に圧接される。
【００２１】
また、蛇腹管５から引き込み治具１１を引き抜くには、ワイヤ係止部３のワイヤを軸線方向の外側に強く引くことにより、それを取外すことができる。なお、蛇腹管５は一例として図９に示したものも使用することができる。この蛇腹管５は内面が平坦な可撓性の軟質塩化ビニール樹脂材よりなる内管５ａと、硬質の樹脂材よりなり、横断面が波形に形成された帯状材５ｂを内管５ａの外周にその一部が重なるように螺旋状に懸回し、その波の一部を内管５ａに接着固定して外管５ｃとしたものである。そのため、全体として可撓性を有し、曲折した枝管又は本管内に導くことができる。
〔補修方法〕
【００２２】
そこで、次にこのような蛇腹管５を補修が必要な本管９内に導いて、補修する方法につき説明する。
本発明の引き込み治具１１を蛇腹管５先端に嵌着するとともに、ワイヤ６を一方のマンホール１０から他方のマンホール１０に導き、そのワイヤ６の先端を引き込み治具１１のワイヤ係止部３に係止する。ついで、一方のマンホール１０から蛇腹管５を人力により押込むとともに、隣接する他方のマンホール１０に導いたワイヤ６を人力により引張る。そして、蛇腹管５の先端が他方のマンホール１０と本管９の開口との接続部に達したとき、引き込み治具１１を軸線方向の外側に強く引張ることにより、それを取除く。そして、一方のマンホール１０の開口部位置で蛇腹管５を切断する。
【００２３】
なお、予め枝管７の先端開口位置を本管９内で測定しておく。そして、本管９の開口部と蛇腹管５の両端部との間にモルタルからなるシール材１７を充填する。ついで、蛇腹管５の一端開口から無人のテレビカメラ車および蛇腹管穿孔機を導き、枝管７と本管９との接続部位置で蛇腹管５に穿孔する。
【００２４】
次に、本管に接続される枝管７の口径よりも僅かに小なる口径の蛇腹管５を用意し、その先端に引き込み治具１１を嵌着し、ワイヤ６の先端をそれに係止する。そして、その蛇腹管５を枡８から押込むとともに、マンホール１０よりワイヤ６を引出し、枝管７内に蛇腹管５を導く。このとき本管９の蛇腹管５内には無人のカメラ車を配置し、蛇腹管５の先端が本管９に到達したことを確認する。ついで、ワイヤ６を強く引張ることにより、枝管７内の蛇腹管５先端から引き込み治具１１を取外す。ついで、枝管７の蛇腹管５先端と本管９の蛇腹管５の穿孔部との間を樹脂補修材１８によって液密に接続する。
【００２５】
この樹脂補修材１８は、公知の図示しない無人補修機を用いて行うことができる。すなわち、不織布等からなる補修材表面に熱硬化性または光硬化性樹脂材を被覆しておき、それを補修器の外周に巻きつけ、枝管７と本管９との接続位置に補修機を移動して、補修機内に圧縮空気を送気して加圧し、光硬化または熱硬化によってそれを硬化させることができる。
ついで、枝管７内の蛇腹管５の後端と枡８との間も同様に樹脂補修材を配置して、本管９および枝管７の補修を完了する。
【００２６】
なお、必要に応じて枝管７と蛇腹管５との間に図８のごとく、モルタル１９を全長にわたり充填することができる。これは特に枝管７と蛇腹管５との間に多くの隙間が存在する場合や、陥没等の危険がある場合に行われ、その隙間に軽量モルタルを充填、裏込めするものである。この場合、枡８内に補修用の蛇腹管５の後端を一定以上突出させた状態で、枡８側より、その蛇腹管５と枝管７との隙間に、注入ホース１２およびエアー抜きホース１３を挿入する。
【００２７】
そして、注入ホース１２に接続された注入用ポンプ１４およびホッパ２０を介して、蛇腹管５と枝管７との隙間全体にモルタルを充填する。そのモルタルがエアー抜きホース１３より流出するまで、充填を継続する。その後注入ホース１２、エアー抜きホース１３をそのまま保持した状態で、モルタルを硬化させる。ついで、モルタル硬化後、蛇腹管５の枡８内の突出部を切断するとともに、注入ホース１２、エアー抜きホース１３を切断する。そして、蛇腹管５の管口まわりの仕上げを行い、枝管７の補修を完了する。
【００２８】
次に、図６において、蛇腹管５の長さを枝管７の長さに整合するように切断する方法につき説明する。
先ず、図５のごとく蛇腹管５の先端開口に引き込み治具１１を嵌着するとともに、図１において、引き込み治具１１の外面側おび内面側に突設されたワイヤ係止部３に図示ないワイヤの先端を係止させ、それを蛇腹管５内に導いておく。そして、蛇腹管５の先端が枝管７の先端に達したことを確認し、枡８と枝管７との境の位置で、蛇腹管５外周に切断のための印を付ける。
【００２９】
ついで、蛇腹管５を枝管７内から引き戻す。そのとき、蛇腹管５内に配置したワイヤを引張ることにより、よりスムースに蛇腹管５を枝管７内から引き戻すことができる。そして、先に印を付けた蛇腹管５の位置で、枡８の外部において、図示ない切断器具等を用いて切断する。ついで、その蛇腹管５を再び枝管７内に導き、蛇腹管５の後端を固定した状態でワイヤ６を強く引張り、引き込み治具１１を取り外す。
〔変形例〕
【００３０】
図２は本発明の引き込み治具１１の他の例を示すものであり、この例は頭部２およびその開口部の基部１が中空の半球状に形成されたものであり、その根元部に段つき状の係止爪４が半径方向内側に一体に形成されている。この引き込み治具１１は金属製または合成樹脂性とすることができる。そして、頭部２の頂部にワイヤ係止部３が設けられている。この例においても、係止爪４は弾性変形可能とされている。
【符号の説明】
【００３１】
１  基部
２  頭部
2a  弧状材
３  ワイヤ係止部
４  係止爪
５  蛇腹管
5a  内管
5b  帯状材
5c  外管
【００３２】
６  ワイヤ
７  枝管
８  枡
９  本管
10  マンホール
11  引き込み治具
12  注入ホース
13  エアー抜きホース
【００３３】
14  注入用ポンプ
15  溶接部
16  穿孔部
17  シール材
18  樹脂補修材
19  モルタル
20  ホッパ
【図１】
2011052774.tif 000003
【図２】
2011052774.tif 000004
【図３】
2011052774.tif 000005
【図４】
2011052774.tif 000006
【図５】
2011052774.tif 000007
【図６】
2011052774.tif 000008
【図７】
2011052774.tif 000009
【図８】
2011052774.tif 000010
【図９】
2011052774.tif 000011